(57)【要約】【課題】  近年、重要視されてきている測定データの信頼性の中でも、操作の連続性を容易に確保できるデータ処理装置を提供することにある。【解決手段】  データ処理装置１０の操作ログ記録部１６は、データ処理装置１０の操作内容をイベントログとして記録保存するとともに、このイベントログに関連付けて、画像入力部４０から取得したイベントログ発生時の操作者の画像を保存する。また、音声入力部５０から取得した音声情報は、文字列変換部５２でテキストファイルに変換され、操作ログ記録部１６において、文字列変換部５２により変換されたテキストファイルを、イベントログと関連付けて保存される。【選択図】  図１
2005265743.tif 000002
【特許請求の範囲】
【請求項１】
データ処理装置の操作内容をイベントログとして記録保存するとともに、このイベントログに関連付けて、前記イベントログ発生時の操作者の画像を保存する操作ログ記録手段を備えたことを特徴とするデータ処理装置。
【請求項２】
請求項１記載のデータ処理装置において、さらに、
前記操作ログ記録手段は、前記操作者の発した音声情報を、前記イベントログと関連付けて保存することを特徴とするデータ処理装置。
【請求項３】
請求項２記載のデータ処理装置において、さらに、
前記音声情報をテキストファイルに変換する文字列変換手段を備え、
前記操作ログ記録手段は、前記文字列変換手段により変換されたテキストファイルを、前記イベントログと関連付けて保存することを特徴とするデータ処理装置。
【発明の詳細な説明】
【技術分野】
【０００１】
本発明は、データ処理装置に係り、特に、自動化が進めらている分析機器等に用いるに好適なデータ処理装置に関する。
【背景技術】
【０００２】
従来のデータ処理装置においては、例えば、特開平１１−６８２３号公報に記載のように、操作者がデータ処理装置上で操作を行っている際に、操作者が気づいた内容を音声にて記録させ、音声情報と測定データとを時刻情報に関連付けて記録，保存するものが知られている。
【０００３】
【特許文献１】特開平１１−６８２３号公報
【発明の開示】
【発明が解決しようとする課題】
【０００４】
ところで、近年、医薬品の分野においては、ＧＬＰ（Good Laboratory Practice：医薬品の開発（特に安全性試験）で試験データの信頼性を求めるガイドライン）やＧＭＰ（Good Manufacturing Practice：医薬品の製造において、医薬品の品質を確保するため、その製造，品質の管理を適切に行うための規準）等のように、信頼性の確保が重要視されている。信頼性の確保の点からは、分析機器等にて得られた測定データの信頼性の確保も含まれる。さらに、この中において、分析機器を操作した操作者の信頼性も確保される必要がある。
【０００５】
かかる観点において、特開平１１−６８２３号公報に記載のものは、単に、操作者のメモとして音声記録だけであり、同じ操作者が分析機器を継続して操作したという操作の連続性や、誰が操作したかという操作者の特定（トレーサビリティ）等の点について、配慮されておらず、操作の連続性を確保できないという問題があった。
【０００６】
本発明の目的は、近年、重要視されてきている測定データの信頼性の中でも、操作の連続性を容易に確保できるデータ処理装置を提供することにある。
【課題を解決するための手段】
【０００７】
（１）上記目的を達成するために、本発明は、データ処理装置の操作内容をイベントログとして記録保存するとともに、このイベントログに関連付けて、前記イベントログ発生時の操作者の画像を保存する操作ログ記録手段を備えるようにしたものである。  
かかる構成により、操作の連続性を容易に確保し得るものとなる。
【０００８】
（２）上記（１）において、好ましくは、さらに、前記操作ログ記録手段は、前記操作者の発した音声情報を、前記イベントログと関連付けて保存するようにしたものである。
【０００９】
（３）上記（２）において、好ましくは、さらに、前記音声情報をテキストファイルに変換する文字列変換手段を備え、前記操作ログ記録手段は、前記文字列変換手段により変換されたテキストファイルを、前記イベントログと関連付けて保存するようにしたものである。
【発明の効果】
【００１０】
本発明によれば、近年、重要視されてきている測定データの信頼性の中でも、操作の連続性を容易に確保できる。
【発明を実施するための最良の形態】
【００１１】
以下、図１〜図４を用いて、本発明の一実施形態によるデータ処理装置の構成について説明する。  
最初に、図１を用いて、本実施形態によるデータ処理装置を含む分析システムの構成について説明する。  
図１は、本発明の一実施形態によるデータ処理装置を含む分析システムの構成を示すブロック図である。
【００１２】
データ処理装置１０は、データ処理部１２と、分析機器制御部１４と、操作ログ記録部１６とを備えている。データ処理部１２は、分析装置部２０から得られた測定データを収集する。分析機器制御部１４は、分析装置部２０の動作を制御する。操作ログ記録部１６は、データ処理部１２から得られた測定データや、分析機器制御部１４から得られた分析装置部２０の状態に基づいて、分析装置部２０の分析操作や、データ処理部１２の操作イベントの経緯を操作ログとして、記録保存する。
【００１３】
また、分析機器の例として、高速液体クロマトグラフに適用した例について説明すると、分析装置部２０は、溶離液を送液するポンプ２２と、試料を流路に導入するためのオートサンプラ２４と、分析するためのカラムを恒温するカラムオーブン２６と、カラムからの信号を検出する検出器２８とが含まれる。
【００１４】
また、入力部３０は、キーボードやマウス等の入力手段であり、データ処理部１２に対して、操作指示を入力できる。表示部３２は、ディスプレイであり、データ処理部１２による処理結果や入力部３０からの入力情報が表示される。画像入力部４０は、動画や静止画を得られるビデオカメラや、静止画を得られるＣＣＤカメラであり、操作者を撮影した画像情報は、操作ログ記録部１６において、操作ログと関連して保存される。音声入力部５０は、マイクなどのように操作者が話した音声を入力する手段であり、音声入力部５０から入力した音声は、文字列変換部５２において文字情報に変換される。変換された文字情報はテキストファイルとして、操作ログと関連して保存される。
【００１５】
データ処理装置１０及び分析装置部２０の操作者は、データ処理装置１０の分析機器制御部１４を介して、分析装置部２０に送信して、測定を開始する。測定開始後、分析装置部２０で発生したイベントログや、データ処理部１０で発生したイベントログは、操作ログ記録部１６に保存される。また、操作中に操作者が話したイベントログは、音声入力部５０および文字列変換部５２を介して、操作ログ記録部１６に時系列順に、保存される。音声入力部５０から入力した音声情報は、マニュアル入力によるイベントログとして、テキスト変換されて保存される。また、キーボードまたはマウス等の入力手段３０による操作を行っている間、画像入力部４０によって撮影された操作者の画像は、イベントログと関連付けて、操作ログ記録部１６に保存される。画像入力部４０は、データ処理装置１０の表示部３２であるディスプレイの上の位置や、分析装置部２０の上の位置や、データ処理装置１０及び分析装置部２０を含めた分析装置全体の画像を記録できる位置に設定することで、測定中の操作者の特定が容易になる。
【００１６】
このようにして、操作イベントのログと関連付けて、操作者の画像を保存することにより、それぞれの操作イベントを実行した操作者が特定でき、また、データ処理操作の連続性を容易に得ることができる。
【００１７】
次に、図２及び図３を用いて、本実施形態によるデータ処理装置における操作イベントの例と、この操作イベントに対して記録保存されるイベントログの表示例について説明する。  
図２は、本発明の一実施形態によるデータ処理装置における操作イベントを説明するための分析機器の操作手順の一例を示すフローチャートである。図３は、本発明の一実施形態によるデータ処理装置における操作イベントに対して記録保存されるイベントログの説明図である。
【００１８】
図２のステップｓ１０において、分析システムの操作者は、データ処理装置１０及び分析装置２０の電源をＯＮする。次に、ステップｓ２０において、分析システムの操作者は、試薬，例えば、溶離液等を準備する。これまでの操作は、一般的な操作であり、特に操作者を特定する必要もないため、イベントログは記録保存されないものである。
【００１９】
次に、ステップｓ３０において、分析システムの操作者は、データ処理装置１０にユーザー名およびパスワード等を入力してログインする。このタイミングで、誰がログインしたかを明確にするため、データ処理装置１０の操作ログ記録部１６は、この操作内容を、イベントログとして記録保存されるとともに、画像入力部４０によって静止画像ファイルを取得する。
【００２０】
ここで、ステップｓ３０に対するイベントログの内容について、図３を用いて説明する。図３は、記録保存されるイベントログの一覧を示している。ログ項目は、最上段に記載されているように、「イベント」（イベントのタイトル），「日時」（イベントの発生日時），「ユーザー」（イベントを行ったユーザ名），「システム名」（イベントの発生したシステムの名称：複数の分析システムが用いられる場合には、個々の分析システムを特定するための一意の名称が、各分析システム毎に割り当てられている），「内容」（操作イベントの詳細内容），「リンク」（リンクファイルがある場合には、そのリンク先）からなっている。このイベントログは、最下段から上方に向かって時系列順に構成されている。
【００２１】
図２のステップｓ３０に対する操作イベントログＬ３０には、「イベント」の欄に（ログイン）と記録され、「日時」の欄に（2004/01/08 10:00:45）とイベントの発生時間が記録され、「ユーザー」の欄に（HITACHI）とユーザー名が記録され、「システム名」の欄に（LaChrom Elite）と分析システムの名称が記録され、「内容」の欄に（ユーザー「HITACHI」がログインしました）と記録され、「リンク」の欄に画像ファイルのリンク先が記録される。ここで、操作ログ記録部１６は、キーボードなどの入力部３０からログイン操作が行われると、イベント（ログイン）が発生したものと認識し、データ処理装置１０の内部の時計から時刻を取得し、ログインされたユーザー名を取得し、分析システムの名称を取得し、内部に記録保存する。また、イベント（ログイン）に対しては、予め、その詳細内容を示す情報として、（ユーザー「xxxx」がログインしました）という情報が保持されており、ここで、「xxxx」の欄にログインした操作者のログイン名を入れることにより、（ユーザー「HITACHI」がログインしました）という情報を作成し、保存している。また、データ処理装置１０は、イベント（ログイン）に対しては、予め画像を取得するように定義してあるため、画像入力部４０を動作させて、静止画像を取得し、その内部に保存する。画像ファイルは、tifファイル形式やjpgファイル形式などの画像ファイル形式として保存する。保存したファイルは、「リンク」の欄に、作成された画像ファイルとリンクした画像ファイルアイコンが作成される。操作者は、画像ファイルのアイコンをダブルクリックすることで、取得した画像を確認することができる。
【００２２】
次に、ステップｓ４０において、分析システムの操作者が、溶離液を追加したものとする。溶離液が追加されたことは、自動的には検知されないため、この場合には、操作者は、キーボードなどの入力部３０の特定のキーを押し下げた上で、「溶離液Ａを追加しました」と発声することにより、溶離液を追加したことが音声入力部５０から取り込まれ、文字列変換部５２によってテキスト情報に変換した上で、操作ログ記録部１６に保存される。このような操作者の音声により記録されるログは、図３のイベントログＬ４０に示すように、「イベント」を（マニュアル入力）として、日時，ユーザー名，システム名とともに記録され、「内容」の欄には、文字列変換部５２によって変換されたテキスト情報が記録される。このときも、溶離液を追加した操作者を確認する意味で、操作者の静止画像ファイルを取得する。
【００２３】
次に、ステップｓ５０において、分析システムの操作者が、高速液体クロマトグラフのカラム温度や溶離液の流量などを入力選択して、測定条件として「TEST」という名称を付けて、測定条件のファイルを保存すると、そのタイミングで、操作ログ記録部１６は、図３のイベントログＬ５０を保存する。測定条件の設定を誰が行ったかも重要であり、操作者を特定する必要があるため、ここでも、静止画像ファイルを取得する。
【００２４】
次に、ステップｓ６０において、分析システムの操作者は、ベースラインの変動を確認しながら、装置が安定化するのを待っていると、そのときは、操作ログ記録部１６は、図３のイベントログＬ６０を保存する。
【００２５】
次に、ステップｓ７０において、分析システムの操作者が、ベースラインが安定化したと判断して、ベースラインチェックの開始を実行すると、そのタイミングで、操作ログ記録部１６は、図３のイベントログＬ７０の（ベースラインチェック開始）を保存する。そして、ベースラインチェックが終了してベースラインが測定されると、そのタイミングで、操作ログ記録部１６は、図３のイベントログＬ７５の（ベースラインチェック終了）を保存する。
【００２６】
次に、ステップｓ８０において、分析システムの操作者が、測定試料をラックにセットすると、このとき、オートサンプラー２４の開閉蓋に設けられたスイッチ等からの信号に基づいて、操作ログ記録部１６は、図３のイベントログＬ８０を保存する。また、このとき、オートサンプラのフタを開いたタイミングで画像の取得を開始、閉じたタイミングで画像の取得を終了させることで、試料をセットした操作者を特定するため、動画画像ファイルを取得する。もしくは、オートサンプラのフタを開いたタイミングで、静止画像ファイルを取得するようにしてもよいものである。
【００２７】
次に、ステップｓ９０において、分析システムの操作者が、ラックに配置された複数の試料について、どの試料を何μｌサンプリングするかといった測定シーケンスを作成すると、そのタイミングで、操作ログ記録部１６は、図３のイベントログＬ９０の（測定シーケンスの作成）を保存する。
【００２８】
次に、ステップｓ１００において、分析システムの操作者が、シーケンス測定を開始すると、そのタイミングで、操作ログ記録部１６は、図３のイベントログＬ１００の（測定シーケンス開始）を保存する。
【００２９】
シーケンス測定を開始すると、測定にはある程度の時間がかかるため、その間、操作者は分析システムの前を離れて、他の仕事を行う場合がある。このようなときには、分析システムの条件等を他の者が変更することを防止するため、分析システムにパスワード等を入力して、ロックをかけることができる。そこで、ステップｓ１２０において、分析システムの操作者が、データ処理装置１０にロックをかける処理を実行すると、そのタイミングで、操作ログ記録部１６は、図３のイベントログＬ１１０の（データ処理装置のロック開始）を保存する。
【００３０】
次に、ステップｓ１２０において、分析システムの操作者が、データ処理装置１０のロックを解除すると、そのタイミングで、操作ログ記録部１６は、図３のイベントログＬ１２０の（データ処理装置のロック解除）を保存する。ロックを解除したときは、本来の操作者がロックを解除したことを確認する意味で、操作者の静止画像ファイルを取得する。
【００３１】
次に、ステップｓ１３０において、分析システムの操作者が、例えば、新たな追加試料Ｂ等をセットした場合には、操作者は、キーボードなどの入力部３０の特定のキーを押し下げた上で、「ラックに測定試料Ｂを追加しました」と発声することにより、試料が追加されたことが音声入力部５０から取り込まれ、文字列変換部５２によってテキスト情報に変換した上で、操作ログ記録部１６にイベントログＬ１３０として保存される。このときも、試料Ｂを追加した操作者を確認する意味で、操作者の静止画像ファイルを取得する。
【００３２】
次に、ステップｓ１４０において、シーケンス測定が終了すると、そのタイミングで、操作ログ記録部１６は、図３のイベントログＬ１４０の（シーケンス測定終了）を保存する。
【００３３】
次に、ステップｓ１５０において、操作者がベースラインの設定を変更して、クロマトグラムの面積を再計算した場合には、そのタイミングで、操作ログ記録部１６は、図３のイベントログＬ１５０の（再計算実行）を保存する。このときも、再計算を実行した操作者を特定する意味で、操作者の静止画像ファイルを取得する。
【００３４】
次に、ステップｓ１６０において、分析システムの操作者が、分析システムからログオフすると、そのタイミングで、操作ログ記録部１６は、図３のイベントログＬ１６０の（ログオフ）を保存する。このときも、ログオフした操作者を確認する意味で、操作者の静止画像ファイルを取得する。
【００３５】
次に、ステップｓ１７０において、分析システムの操作者が、データ処理装置１０及び分析装置２０の電源をオフして、一連の操作が終了する。
【００３６】
以上説明したように、本実施形態では、一連の操作手順の中で発生したイベントに応じて、その操作ログをイベントログとして記録保存するようにしているので、同じ操作者が分析機器を継続して操作したという操作の連続性を確保することができる。
【００３７】
また、操作ログの記録保存と同時に、操作者を特定したいタイミングで、操作者の静止画像を取得して保存するようにしているので、誰が操作したかという操作者の特定（トレーサビリティ）も容易に確保できるものである。
【００３８】
さらに、音声情報も文字列に変換した上で、テキスト情報としてイベントログの中に保存することで、分析操作中等で手を離すことができない場合にも、容易に操作情報を保存することができる。このとき、テキスト情報として保存することで、後で操作内容を確認する際にも、他のイベントログとともに、容易に確認することができる。
【００３９】
なお、音声情報を文字列に変換する方式としては、操作者がキー操作をしたときの音声情報のみを文字列に変換する方式の他に、音声入力部５０から入力した音声情報を自動的にテキストファイルに変換するようにしてもよいものである。
【００４０】
また、画像ファイルの取得タイミングについては、装置本体の操作，イベントログの内容により、任意設定しておくことで、自動的に画像ファイルを取得しながら、操作イベントログを作成することもできる。画像ファイルに関しては、データ処理装置へのログインからログアウトの間、すべて動画として保存することもできるが、保存した際のファイル容量を考慮して、必要なイベントに限定して、静止画像のみを取得することができる。また、ファイル容量によっては、圧縮ツールを用いて、自動的に圧縮して、操作ログファイルと関連付けて保存することもできる。
【００４１】
次に、図４を用いて、本実施形態によるデータ処理装置を含む分析システムの外観構成について説明する。  
図４は、本発明の一実施形態によるデータ処理装置を含む分析システムの外観構成を示す斜視図である。なお、図１と同一符号は、同一部分を示している。
【００４２】
データ処理装置１０の上部には、ディスプレイ等の表示部３２が配置され、その手前には、キーボードなどの入力部３０が配置されている。なお、入力部３０としては、マウス等も含むものである。表示部３２の上部には、画像入力部である第１のビデオカメラ４０Ａ及び音声入力部であるマイク５０Ａが配置されている。このように、表示部３２の上部にビデオカメラ４０Ａ及びマイク５０Ａを配置することにより、データ処理装置１０を操作する操作者の画像及び音声を容易に得ることができる。また、分析装置部２０の上部にも、画像入力部である第２のビデオカメラ４０Ｂが配置されている。このように、分析装置部２０の上部にも、ビデオカメラ４０Ｂを配置することにより、溶離液の追加や、試料の追加を分析装置部２０に対して行う操作者の画像を容易に得ることができる。なお、分析装置部２０の上部に、音声入力部であるマイクを配置してもよいものである。
【００４３】
なお、マイクやビデオカメラB２７の配置位置は、分析装置部である液体クロマトグラフおよびデータ処理装置全体を写すことができる位置に設置することもできる。
【００４４】
以上説明したように、本実施形態によれば、操作者が行ったデータ処理装置上での操作を画像として、一連の操作ログと関連付けて保存することができる。
【００４５】
また、操作後に手操作で、再入力やログとの関連付けを行わなくても済むため、分析業務の効率向上にもつながる。
【００４６】
また、必要なイベントにおいて、自動的に操作者を静止画像として保存することにより、近年、重要視されてきている測定データの信頼性の中でも、実際のデータ処理操作者の連続性を確保することにより、測定データの信頼性を向上させることができる。
【図面の簡単な説明】
【００４７】
【図１】本発明の一実施形態によるデータ処理装置を含む分析システムの構成を示すブロック図である。
【図２】本発明の一実施形態によるデータ処理装置における操作イベントを説明するための分析機器の操作手順の一例を示すフローチャートである。
【図３】本発明の一実施形態によるデータ処理装置における操作イベントに対して記録保存されるイベントログの説明図である。
【図４】本発明の一実施形態によるデータ処理装置を含む分析システムの外観構成を示す斜視図である。
【符号の説明】
【００４８】
１０…データ処理装置
１２…データ処理部
１４…分析機器制御部
１６…操作ログ部
２０…分析装置部
２２…ポンプ
２４…オートサンプラ
２６…カラムオーブン
２８…検出器
３０…入力部
３２…表示部
４０…画像入力部
５０…音声入力部
５２…文字列変換部
【図１】
2005265743.tif 000003
【図２】
2005265743.tif 000004
【図３】
2005265743.tif 000005
【図４】
2005265743.tif 000006